(57)【特許請求の範囲】
【請求項１】
懸垂荷重を支持する筐体と、この筐体に片持ち固定支持された主軸と、この主軸の他端に固定された軸受を介して可回転的に支持されたブレーキドラムと、このブレーキドラムと一体的に回転する綱車と、前記ブレーキドラムの外側に配置される電磁ブレーキとを備え、前記電磁ブレーキのブレーキライニングを前記ブレーキドラムの外周制動面に圧接させ、前記ブレーキドラム及び前記綱車の回転を制動するエレベーターの薄型巻上機において、
前記ブレーキドラムの周縁部を略Ｔ字状断面とし、略Ｔ字状断面となる前記ブレーキドラムの綱車側突合せ部の開口角を略鋭角にし、前記ブレーキドラムの側面から伝わる油を溜める油溝としたことを特徴とするエレベーターの薄型巻上機。
【請求項２】
略Ｔ字状断面となる前記ブレーキドラムの反綱車側突合せ部に、モータ回転子を固定したことを特徴とする請求項１記載のエレベーターの薄型巻上機。
【発明の詳細な説明】
【技術分野】
【０００１】
本発明は、機械室を設けない機械室レスエレベーターに係り、特に、その薄型巻上機に関する。
【背景技術】
【０００２】
エレベーターにあっては、一般に、乗りかごを上下に昇降させるための巻上機やモータの制御装置、或いは乗りかごが過速した際の非常制動に使われる調速機等を、建物最上部に形成した機械室に設置している。しかし、近年、乗りかごの昇降速度が比較的遅いエレベーターにおいては、機械室レスエレベーターと呼ばれる機械室を設けないものが主流となっている。このようなエレベーターの場合、従来は機械室に設置していたもの全てを昇降路内に設置し、巻上機も昇降路内に設置しなくてはならない。そして、このような機械室レスエレベーターの巻上機の形状や設置形態は種々あり、例えば、巻上機を昇降路の最下部、又は最上部で乗りかごの投影面に一部が重なるように設置するもの、或いは昇降路の高さ方向の中間部で、乗りかごと昇降路壁の隙間に設置するもの等がある。また、通常、乗りかごと昇降路壁の隙間は数百ｍｍ程度であるため、その隙間に巻上機を設置することを考慮し、扁平形状の巻上機が必要であり、いわゆる薄型巻上機が使用されている。
【０００３】
このような薄型巻上機にあって、従来、ブレーキドラムの外周制動面を電磁ブレーキのブレーキライニングで押圧することにより巻上機を制動する構成が知られている（例えば、特許文献１参照）。なお、従来のものにあっては、ブレーキドラムの周縁部が、略Ｌ字状断面となっていた。
【０００４】
また、機械室レスエレベーターの薄型巻上機は、昇降路と乗りかごの間にある数百ｍｍ程度の隙間に、昇降路壁に対面する形で設置されるのが一般的であることから、巻上機をより薄くすることができれば、昇降路断面を縮小することが可能となったり、昇降路内機器のレイアウト自由度を拡大することができる。したがって、薄型巻上機の小型化、特に、巻上機全体の厚さ寸法縮小は、機械室レスエレベーターの価値を高める上で非常に重要であった。
【先行技術文献】
【特許文献】
【０００５】
【特許文献１】特開２００４−３５１２１号公報
【発明の概要】
【発明が解決しようとする課題】
【０００６】
しかしながら、前述した特許文献１に挙げられる薄型巻上機では、巻上機の制動力を保障するために必要となるブレーキライニングの押付力に対するブレーキドラムの形状についての検討が十分になされておらず、このため、ブレーキドラムに求められる剛性を確保するため、その厚さ寸法の拡大、ひいてはブレーキの大型化を招いていた。また、乗りかごを駆動する主索や、その主索を駆動する綱車などからブレーキドラム側面へ付着した油等が、回転運動に起因する遠心力によりブレーキドラムの側面を伝って、ブレーキドラムとブレーキライニングの接触面、即ち制動面へ付着するのを防止する構造に関する十分な考慮がなされておらず、このため、巻上機として必要な制動力を確保するため、ブレーキの大型化を図ったり、制動面への油付着防止構造の追加等を行う必要が生じていた。したがって、従来の構造では、薄型巻上機の価値を高める上で重要とされる厚さ寸法の縮小を効果的に行うことができないという課題があった。
【０００７】
本発明は、前述した従来技術における実状からなされたもので、その目的は、ブレーキドラムの高剛性化を図ると共に、特別なものを要することなく制動力の向上を図ることのできるエレベーターの薄型巻上機を提供することにある。
【課題を解決するための手段】
【０００８】
前記目的を達成するために、本発明は、懸垂荷重を支持する筐体と、この筐体に片持ち固定支持された主軸と、この主軸の他端に固定された軸受を介して可回転的に支持されたブレーキドラムと、このブレーキドラムと一体的に回転する綱車と、前記ブレーキドラムの外側に配置される電磁ブレーキとを備え、前記電磁ブレーキのブレーキライニングを前記ブレーキドラムの外周制動面に圧接させ、前記ブレーキドラム及び前記綱車の回転を制動するエレベーターの薄型巻上機において、前記ブレーキドラムの周縁部を略Ｔ字状断面とし、略Ｔ字状断面となる前記ブレーキドラムの綱車側突合せ部の開口角を略鋭角にし、前記ブレーキドラムの側面から伝わる油を溜める油溝としたことを特徴としている。また、前記ブレーキドラムの外周制動面の軸回転方向と直交する幅寸法を、前記ブレーキドラムの最小厚さ寸法よりも大きくすると共に、ブレーキドラム最小厚さ部位を前記外周制動面の軸回転方向と直交した投影面内に設けるのが好ましい。
【０００９】
このように構成した本発明では、ブレーキドラムの周縁部を略Ｔ字状断面とすることで、ブレーキライニングの押付け力を効率良く受け、周縁部の体積及び厚さ寸法が等しい従来のものと比較して、ブレーキドラムを高剛性とすることができる。
【００１１】
このように構成した本発明では、ブレーキドラムの側面を伝う油は、ブレーキドラムの回転遠心力により外周制動面方向へと向かうが、巻上機回転時はその遠心力により略Ｔ字状構造の綱車側突合せ部に溜まる。一方、停止時、油はブレーキドラム側面、或いは油溝となる綱車側突合せ部内を伝い、綱車側突合せ部下部に溜まるため、部品を新たに追加することなくブレーキドラム側面に付着した油が外周制動面へ到達するのを防止する機能を備え、これによって、制動力の向上を図ることができる。
【００１２】
さらに、本発明は、略Ｔ字状断面となる前記ブレーキドラムの反綱車側突合せ部に、モータ回転子を固定したことを特徴としている。
【００１３】
このように構成した本発明では、略Ｔ字状構造の反綱車側突合せ部の空間に、モータ回転子を配置することによって、筐体とブレーキドラムに囲まれた空間内のデッドスペース縮小が可能となる。
【発明の効果】
【００１４】
本発明によれば、ブレーキドラムの剛性確保を目的とした厚さ寸法拡大や、制動力確保のためのブレーキの大型化が不要になると共に、ブレーキドラムの綱車側の側面を伝わる油が制動面へ付着するのを防止する油受機能を部品追加することなく備えることができ、かつ巻上機内部のデッドスペース縮小を可能とすることができ、これによって、巻上機の効果的な小型化・薄型化を実現することができる。
【図面の簡単な説明】
【００１５】
【図１】本発明の薄型巻上機が適用されるエレベーター装置の平面図である。
【図２】薄型巻上機の正面図である。
【図３】薄型巻上機の側面図である。
【図４】本発明に係るエレベーターの薄型巻上機の一実施例を示す縦断面図である。
【図５】本実施例におけるブレーキドラム周縁部の拡大図である。
【図６】本実施例におけるブレーキドラムの外周制動面周辺構造の拡大図である。
【図７】本実施例における巻上機回転時の油の動きを説明する正面図である。
【図８】本実施例における巻上機停止時の油の動きを説明する正面図である。
【発明を実施するための形態】
【００１６】
以下、本発明に係るエレベーターの薄型巻上機の実施例を図に基づき説明する。
【００１７】
エレベーター装置は、図１に示すように、昇降路１内に、一対のガイドレール２に沿って昇降可能な乗りかご３と、図示しない主索によって乗りかご３に連結されて一対のガイドレール４に沿って昇降可能なつり合いおもり５と、昇降路１と乗りかご３の間にある隙間に設置した薄型巻上機６とが設けられている。この薄型巻上機６は、その詳細構成について後述するが、乗りかご３側に固定側の筐体７を位置させ、この筐体７に対して可回転的な綱車８は昇降路壁側に位置させている。
【００１８】
薄型巻上機６は、乗りかご３とつり合いおもり５の間を連結した複数本の図示しない主索が、綱車８に形成した複数の溝部にそれぞれ合致するように巻き掛けられ、綱車８の回転によって主索が駆動されると、乗りかご３とつり合いおもり５がそれぞれのガイドレール２、４に沿って逆方向に昇降するように構成されている。
【００１９】
綱車８の乗りかご３側外周部には、図２及び図３に示すように、ブレーキドラム９が一体的に結合され、このブレーキドラム９の乗りかご３側には筐体７が配置されており、筐体７に対してブレーキドラム９は綱車８と同様、可回転的に支持されている。
【００２０】
ブレーキドラム９と筐体７との嵌合対向部にはアウタロータ型モータが構成され、その詳細構成について後述するが、このアウタロータ型モータの回転子がブレーキドラム９の周縁部に配置されると共に、アウタロータ型モータの固定子が筐体７の対向位置に配置されている。そして、アウタロータ型モータへの通電によって綱車８及びブレーキドラム９で代表される可動部は一体的に回転駆動されるが、通電が遮断され、筐体７の上下部にそれぞれ配置した同一構成の電磁ブレーキ１０のブレーキライニング１１をブレーキドラム９の外周制動面１２に押圧すると制動する構成となっている。
【００２１】
筐体７は、図４に示すように、その中心部に形成したボス部に主軸１３を嵌合しており、この主軸１３の挿入側に、軸受１４を介して綱車８及びブレーキドラム９が一体的に構成される可動側ハウジング１５を片持ち支持している。軸受１４の端部にはシール材１６が配置されて、軸受１４の潤滑油が可動側ハウジング１５の外部へ漏洩するのを防止している。筐体７の綱車８側には円環状凹部１７が形成されており、この円環状凹部１７内には環状のモータ固定子１８が嵌合固定されている。
【００２２】
ブレーキドラム９は、図５にも示すように、その外周制動面１２の軸回転方向と直交する幅寸法を、最小厚さ部位２３の寸法よりも大きくすると共に、ブレーキドラム最小厚さ部位２３を外周制動面１２の軸回転方向と直交した投影面内に設け、その周縁部１９が略Ｔ字状断面となっている。また、略Ｔ字状断面となる周縁部１９の綱車側突合せ部２０の開口角を略鋭角にし、ブレーキドラム９の側面から伝わる油を溜める油溝としている。
【００２３】
環状のモータ回転子２１は、図６にも示すように、略Ｔ字状断面となる周縁部１９の反綱車側突合せ部２２に固定され、所定の間隙を介して前述したモータ固定子１８と対向している。
【００２４】
本実施例にあっては、モータ固定子１８に交流電流を流すと、周方向に回転変化する磁界が発生するため、モータ回転子２１に電磁力が作用し、ブレーキドラム９、可動側ハウジング１５及び綱車８は一体的に回転し、綱車８に巻き掛けられた主索を介して乗りかご３及びつり合いおもり５が昇降駆動される。一方、乗りかご３の停止時にはモータ固定子１８への通電を遮断すると共に、電磁ブレーキ１０を作動してそのブレーキライニング１１をブレーキドラム９の外周制動面１２へ押圧することにより、ブレーキドラム９、可動側ハウジング１５及び綱車８を制動する。このとき、ブレーキライニング１１をブレーキドラム９に押圧することによって、ブレーキドラム９の周縁部１９には撓みが生じるが、周縁部１９の断面を略Ｔ字状に形成することで押付力に対する高剛性化が図られており、剛性確保を目的としたブレーキドラム９の厚さ寸法拡大を回避している。
【００２５】
また、薄型巻上機６の回転時、ブレーキドラム９の綱車８側の側面に主索や綱車８からの油が付着した場合、図７に示すように、油は回転時の遠心力によりブレーキドラム９側面を外周方向へ伝い、外周制動面１２へと向かうが、周縁部１９の綱車側突合せ部２０の開口角が略鋭角に形成されており、油溝として作用し、油は、薄型巻上機６回転時はその遠心力によりこの綱車側突合せ部２０に溜まる。一方、薄型巻上機６が停止すると、綱車側突合せ部２０内の油は、図８に示すように、ブレーキドラム９側面、或いは綱車側突合せ部２０を伝って下方へ向かい、最終的に綱車側突合せ部２０下部に溜まる。この綱車側突合せ部２０は外部からの目視が可能であるため、定期点検時などに必要に応じて溜まった油を取り除くことができる。
【００２６】
本実施例によれば、ブレーキドラム９の周縁部１９を略Ｔ字状断面とすることで、ブレーキライニング１１の押付け力を効率良く受け、ブレーキドラム９を高剛性とすることができる。また、部品を新たに追加することなくブレーキドラム側面に付着した油が外周制動面１２へ到達するのを防止し、制動力の向上を図ることができる。特に、油溝機能を有する部位は綱車８と外周制動面１２の間に存在することで効果があるが、その部位より内側に付着した油に対して油溝としての機能を発揮するため、その位置が外周制動面１２に近いほどより大きな効果が得られる。本実施例のものは、油溝となる綱車側突合せ部２０は必然的に外周制動面１２に近接した位置となるため、外周制動面１２の油付着防止構造として非常に効果的である。さらに、略Ｔ字状構造の反綱車側突合せ部２２の空間に、モータ回転子２１を配置することによって、筐体７とブレーキドラム９に囲まれた空間内のデッドスペース縮小が可能となる。したがって、薄型巻上機６の効果的な小型化・薄型化を実現することができる。
【００２７】
なお、前述した実施例では、アウタロータ型モータを採用した薄型巻上機６を例として説明したが、本発明はこれに限らず、インナロータ型モータを採用した薄型巻上機にも適用することができる。この場合、反綱車側突合せ部の空間に、筐体に支持されたモータ固定子を配置することで、効果的な厚さ寸法縮小が可能となる。
【符号の説明】
【００２８】
１  昇降路
２  ガイドレール
３  乗りかご
４  ガイドレール
５  つり合いおもり
６  薄型巻上機
７  筐体
８  綱車
９  ブレーキドラム
１０  電磁ブレーキ
１１  ブレーキライニング
１２  外周制動面
１３  主軸
１４  軸受
１５  可動側ハウジング
１６  シール材
１７  円環状凹部
１８  モータ固定子
１９  周縁部
２０  綱車側突合せ部
２１  モータ回転子
２２  反綱車側突合せ部
２３  ブレーキドラム最少厚さ部位
【図１】
0005809531.tif 000002
【図２】
0005809531.tif 000003
【図３】
0005809531.tif 000004
【図５】
0005809531.tif 000005
【図６】
0005809531.tif 000006
【図４】
0005809531.tif 000007
【図７】
0005809531.tif 000008
【図８】
0005809531.tif 000009